【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
１つ以上のプロセスを制御するように設定された機器を有するプロセスプラントの通信ネットワークに通信可能に連結されたデバイスを使用して、データを配信するための方法であって、
前記デバイスにおいて、
（ｉ）前記デバイスによって生成されるデータ、
（ｉｉ）前記デバイスによって作成されるデータ、
（ｉｉｉ）前記デバイスで受信されるデータ、
のうちの少なくとも１つを含むとともに、前記プロセスプラントまたは前記プロセスプラントによって制御されるプロセスのうちの少なくとも１つに対応する、データを収集することと、
前記デバイスのキャッシュ内に、前記収集されたデータを記憶することと、
前記プロセスプラントに対応するプロセス制御ビッグデータアプライアンスの一体型ロジックデータ記憶エリアにおける記憶のために、前記収集されたデータの少なくとも一部を伝送させることと、
を含み、
前記デバイスのタイプは、デバイスのセットタイプ内に含まれ、前記デバイスのセットタイプは、フィールドデバイスおよびコントローラを含み、
前記一体型ロジックデータ記憶エリアは、共通フォーマットを使用して、前記プロセスプラントまたは前記プロセスプラントによって制御されるプロセスのうちの少なくとも１つに対応するデータタイプのセットから、複数のタイプのデータを記憶するように設定され、
前記データタイプのセットは、連続データ、事象データ、測定データ、バッチデータ、計算されたデータ、および設定データを含む、
方法。
【請求項２】
前記収集されたデータを前記キャッシュ内に記憶することは、前記収集されたデータと併せて、前記キャッシュ内に、前記収集されたデータの生成または受信のそれぞれの時間の表示を記憶することを含み、
前記収集されたデータの少なくとも一部を伝送させることは、前記収集されたデータの少なくとも一部および前記収集されたデータの少なくとも一部の生成または受信のそれぞれの時間を伝送させることを含む、
請求項１に記載の方法。
【請求項３】
前記収集されたデータを前記デバイスの前記キャッシュ内に記憶することは、前記一体型ロジックデータ記憶エリアによって使用される前記共通フォーマットに対応するスキーマ内に含まれるスキーマを使用して、前記収集されたデータを前記キャッシュ内に記憶することを含む、
請求項１または２に記載の方法。
【請求項４】
前記デバイスのセットタイプはさらに、フィールドデバイスインターフェースおよびコントローラインターフェースを有する、入／出力（Ｉ／Ｏ）デバイス、ユーザインターフェースデバイス、ゲートウェイデバイス、アクセスポイント、ルーティングデバイス、履歴化デバイス、およびネットワーク管理デバイスを含む、請求項１〜３のいずれか一項に記載の方法。
【請求項５】
前記データを収集することは、
前記デバイスによって生成されるデータを生成速度で収集すること、
前記デバイスによって作成される全データを作成速度で収集すること、
前記デバイスで受信される全データを受信速度で収集すること、
のうちの少なくとも１つを含む、請求項１〜４のいずれか一項に記載の方法。
【請求項６】
前記データは、第１のデータであり、
前記デバイスは、第１のデバイスであり、
前記デバイスのセットタイプは、さらに、フィールドデバイスインターフェースおよびコントローラインターフェースを有する、入／出力（Ｉ／Ｏ）デバイスを含み、
さらに、
前記第１のデバイスにおいて、
（ｉ）前記フィールドデバイス、前記コントローラ、または前記Ｉ／Ｏデバイスのうちの１つのデバイスタイプを有する第２のデバイスによって生成または作成される、        （ｉｉ）前記第２のデバイスにおいて受信される、
かの少なくとも１つである、第２のデータを受信することと、
前記第１のデバイスのキャッシュ内に、前記第２のデータを記憶することと、
前記プロセス制御ビッグデータアプライアンスの一体型ロジックデータ記憶エリア内への記憶のために、前記第２の収集されたデータの少なくとも一部を伝送させることと、
を含む、請求項１〜５のいずれか一項に記載の方法。
【請求項７】
前記データの少なくとも１部を伝送させることは、前記データの少なくとも１部をストリームすることを含む、請求項１〜６のいずれか一項に記載の方法。
【請求項８】
前記一体型ロジックデータ記憶エリア内への記憶のために前記データの少なくとも一部を伝送させることは、
通信ネットワークを介して、前記データの少なくとも一部を、前記通信ネットワークにおいて前記デバイスと前記一体型ロジックデータ記憶エリアとの間に配置される別のデバイスに伝送すること、を含み、
前記別のデバイスは、
前記プロセスプラント内で前記プロセスをリアルタイムで制御するように設定される、プロセス制御デバイス、
ネットワーク管理またはルーティングデバイス、
履歴化デバイス、
前記データの少なくとも一部を一時的に記憶するとともに、前記データの少なくとも一部を前記一体型ロジックデータ記憶エリアに転送するように設定される、別のデバイス、
のうちの１つである、
請求項１〜７のいずれか一項に記載の方法。
【請求項９】
プロセスプラント内のプロセスを制御するためのプロセス制御デバイスであって、
前記プロセスプラントの通信ネットワークへのインターフェースと、
（ｉ）伝送のために前記プロセス制御デバイスによって生成されるデータ、
（ｉｉ）前記プロセス制御デバイスによって作成されるデータ、
（ｉｉｉ）前記プロセス制御デバイスによって受信されるデータ、
のうちの少なくともの１つを含むとともに、前記プロセスプラントまたは前記プロセスプラント内で制御されるプロセスのうちの少なくとも１つに対応する、データを、記憶するように設定されるキャッシュと、
前記データを前記キャッシュ内に記憶させ、前記プロセスプラントに対応する集中データ記憶エリアにおける記憶のために、前記通信ネットワークを介して、前記データの少なくとも一部を伝送させるように指定された少なくとも１つの処理要素を有する、多重処理要素プロセッサと、
を備え、
前記プロセス制御デバイスは、
前記プロセスを制御するための物理的機能を行うように設定される、フィールドデバイス、
入力を受信し、前記入力に基づいて、前記プロセスを制御するための出力を生成するように設定される、コントローラ、
前記フィールドデバイスと前記コントローラとの間に配置され、それらと通信可能に接続する、入／出力（Ｉ／Ｏ）デバイス、
のうちの１つである、プロセス制御デバイス。
【請求項１０】
前記インターフェースは、第１のインターフェースであり、
前記通信ネットワークは、第１の通信ネットワークであり、
前記プロセス制御デバイスはさらに、前記通信ネットワークと異なる第２の通信ネットワークに連結される、第２のインターフェースを備え、
前記第２のインターフェースは、前記プロセス制御デバイスによって使用され、前記プロセスをリアルタイムで制御するために、信号の伝送または受信の少なくとも１つを行なう、
請求項９に記載のプロセス制御デバイス。
【請求項１１】
前記多重処理要素プロセッサの第１の処理要素は、前記データを前記キャッシュ内に記憶させるか、または前記データの少なくとも一部を伝送させるかのうちの少なくとも１つを行なうように排他的に指定される、
前記多重処理要素プロセッサの第２の処理要素は、前記プロセス制御デバイスを動作させ、前記プロセスプラント内のプロセスを制御するように排他的に指定される、
のうちの少なくとも１つである、請求項９または１０に記載のプロセス制御デバイス。
【請求項１２】
前記データは、それぞれのタイムスタンプと併せて、前記キャッシュ内に記憶され、
各それぞれのタイムスタンプは、前記データ内に含まれるそれぞれのデータ値のデータ生成または受信の時間を示し、 
前記多重処理要素プロセッサは、前記集中データ記憶エリアにおける記憶のために、前記データの少なくとも一部および前記データの少なくとも一部に対応する前記それぞれのタイムスタンプを伝送させるように設定される、
請求項９〜１１のいずれか一項に記載のプロセス制御デバイス。
【請求項１３】
前記キャッシュ内に記憶されるデータは、測定データ、計算されたデータ、設定データ、バッチデータ、事象データ、または連続データのうちの少なくとも１つを含む、請求項９〜１２のいずれか一項に記載のプロセス制御デバイス。
【請求項１４】
前記多重処理要素プロセッサは、前記通信ネットワークを介して、前記キャッシュ内に記憶された前記データの少なくとも一部をストリームさせるように設定される、請求項９〜１３のいずれか一項に記載のプロセス制御デバイス。
【請求項１５】
前記集中データ記憶エリアは、前記プロセスプラントに対応するプロセス制御ビッグデータアプライアンスの一体型ロジックデータ記憶エリアであって、 
前記一体型ロジックデータ記憶エリアは、共通フォーマットを使用して、前記プロセスプラントまたは前記プロセスプラント内で制御されるプロセスのうちの少なくとも１つに対応する複数のタイプのデータを記憶するように設定され、
前記複数のタイプのデータは、連続データ、測定データ、事象データ、計算されたデータ、設定データ、およびバッチデータを備える、データタイプのセット内に含まれる、
請求項９〜１４のいずれか一項に記載のプロセス制御デバイス。
【請求項１６】
前記一体型ロジックデータ記憶エリアの共通フォーマットは、共通スキーマを備え、
前記共通スキーマは、前記データを前記プロセス制御デバイスのキャッシュ内に記憶するために使用される、ローカルスキーマを含む、
請求項１５に記載のプロセス制御デバイス。
【請求項１７】
前記プロセス制御デバイスの設定は、前記キャッシュ内に記憶されたデータの１つ以上の識別の表示を除外する、請求項９〜１６のいずれか一項に記載のプロセス制御デバイス。
【請求項１８】
（ｉ）前記プロセス制御デバイスの設定の少なくとも一部、
（ｉｉ）前記プロセス制御デバイスに対応するバッチレシピ、
のうちの少なくとも１つを記憶するように設定される、フラッシュメモリをさらに備え、
前記フラッシュメモリの内容は、オフライン状態終了後、動作を再開するために、前記プロセス制御デバイスによってアクセスされる、
請求項９〜１７のいずれか一項に記載のプロセス制御デバイス。
【請求項１９】
プロセスプラント内のビッグデータをサポートするためのシステムであって、
複数のノードを有する通信ネットワークを備え、 
前記通信ネットワークは、一体型ロジックデータ記憶エリアに記憶されるべきデータを配信するように設定され、
前記一体型ロジックデータ記憶エリアは、共通フォーマットを使用して、前記プロセスプラントまたは前記プロセスプラントによって制御されるプロセスのうちの少なくとも１つに対応するデータタイプのセットから複数のタイプのデータを記憶するように設定され、
前記データタイプのセットは、連続データ、事象データ、測定データ、バッチデータ、計算されたデータ、および設定データを含み、
前記複数のノードの各ノードは、
（ｉ）前記各ノードによって生成されるか、作成されるか、または受信されるかのうちの少なくとも１つである、それぞれの第１のデータをキャッシュし、
（ｉｉ）前記一体型ロジックデータ記憶エリアにおける記憶のために、前記通信ネットワークを介して、前記キャッシュされたデータの少なくとも一部を伝送させる、
ように設定され、
前記複数のノードの少なくとも１つのノードはさらに、
（ｉｉｉ）前記複数のノードの別のノードによって生成されるか、作成されるか、または受信されるかのうちの少なくとも１つである、第２のデータを受信し、
（ｉｖ）前記一体型ロジックデータ記憶エリアにおける記憶のために、前記第２のデータを伝送させる、
ように設定される、
システム。
【請求項２０】
前記複数のノードは、入力のセットを受信し、出力の値を決定し、前記出力をフィールドデバイスに伝送させ、前記プロセスプラント内のプロセスを制御するように設定される、コントローラを含み、
前記フィールドデバイスは、前記コントローラの出力に基づいて、前記プロセスを制御するための物理的機能を行うように設定される、
請求項１９に記載のシステム。
【請求項２１】
前記通信ネットワークは、第１の通信ネットワークであり、
前記コントローラは、
第２の通信ネットワークまたはリンクとのインターフェースにおいて、前記入力のセットの少なくとも１つの入力を受信する、
前記第２の通信ネットワークまたはリンクとのインターフェースを介して、前記出力を前記フィールドデバイスに伝送させる、
のうちの少なくとも１つであるように設定される、
請求項２０に記載のシステム。
【請求項２２】
前記フィールドデバイスは、第１のフィールドデバイスであり、
前記コントローラは、前記第２のデータを受信するように設定される、前記複数のノードの少なくとも１つのノード内に含まれ、 
前記別のノードは、前記第１のフィールドデバイスまたは第２のフィールドデバイスである、
請求項２０または２１に記載のシステム。
【請求項２３】
前記複数のノードは、
入力のセットを受信し、出力の値を決定し、前記出力を第１のフィールドデバイスに伝送させ、前記プロセスプラント内のプロセスを制御するように設定される、コントローラであって、前記第１のフィールドデバイスは、前記コントローラの出力に基づいて、前記プロセスを制御するための物理的機能を行うように設定される、コントローラと、
前記第１のフィールドデバイスまたは第２のフィールドデバイスと、
フィールドデバイスインターフェースおよびコントローラインターフェースを有する、入／出力（Ｉ／Ｏ）デバイスと、
ユーザインターフェースデバイスと、
ゲートウェイデバイスと、
アクセスポイントと、
ルーティングデバイスと、
履歴化デバイスと、
ネットワーク管理デバイスと、
を含むデバイスのセットからの、少なくとも２つのデバイスを含む、
請求項１９〜２２のいずれか一項に記載のシステム。
【請求項２４】
前記複数のノードの第１のノードは、前記通信ネットワークにおいて、前記複数のノードの第２のノードと前記一体型ロジックデータ記憶エリアとの間に配置され、 
前記第１のノードは、前記別のノードによって生成されるか、作成されるか、または受信されるかのうちの少なくとも１つである、前記第２のデータを受信するように設定される、前記複数のノードの少なくとも１つのノード内に含まれ、
前記別のノードは、前記第２のノードである、
請求項１９〜２３のいずれか一項に記載のシステム。
【請求項２５】
前記第１のノードはさらに、前記受信された第２のデータをキャッシュするように設定される、請求項２４に記載のシステム。
【請求項２６】
前記複数のノードの第２のノードは、前記通信ネットワークにおいて、前記複数のノードの第１のノードと第３のノードとの間に配置され、
前記第２のノードは、
（ｉ）前記第２のデータをキャッシュし、
（ｉｉ）前記第３のノードによって生成されるか、作成されるか、または受信されるかのうちの少なくとも１つである、第３のデータをキャッシュし、
（ｉｉｉ）前記一体型ロジックデータ記憶エリアにおける記憶のために転送されるように、前記キャッシュされたデータを、前記第１のノードに伝送させる、
ように設定される、
請求項２４または２５に記載のシステム。
【請求項２７】
前記通信ネットワークは、ストリーミングプロトコルをサポートする、請求項１９〜２６のいずれか一項に記載のシステム。
【請求項２８】
前記複数のノードの少なくとも１つのノードは、少なくとも前記一体型ロジックデータ記憶エリアまたは前記一体型ロジックデータ記憶エリアのアクセスアプリケーションが加入する、それぞれのストリーミングサービスをホストするように設定される、請求項１９〜２７のいずれか一項に記載のシステム。
【請求項２９】
前記それぞれの第１のデータをキャッシュするための複数のノードの少なくともサブセットによって使用されるスキーマが、前記一体型ロジックデータ記憶エリアによって使用される前記共通フォーマット内に含まれるスキーマ内に含まれる、請求項１９〜２８のいずれか一項に記載のシステム。